(57)【要約】      （修正有）【課題】左右両側壁に折畳み用斜状折目を備えた組立式紙箱において、収容物の出し入れの際に、左右両側壁が倒れ込むおそれがなく、収容物の収容が容易であってかつ収容物の出し入れ時に収容物の破損を防止できる組立式紙箱を提供する。【解決手段】一枚の紙板からなり、底壁１周縁に、折畳み用斜状折目２１、２２を備えた左右両側壁４、５と、可開放前側壁２と、後壁３とが立設されている。組み立て前は左右両側壁４、５が斜状折目２１、２２から二つ折りされて底壁１に重合され、扁平に折り畳まれている。左右両側壁４、５に外方折り返し用折目２３、２４が設けられている。外方折り返し用折目２３、２４が、折り畳み用斜状折目２１、２２と交差している。【選択図】 図１
0003118748.tif 000002
【実用新案登録請求の範囲】
【請求項１】
一枚の紙板からなり、底壁周縁に、折畳み用斜状折目を備えた左右両側壁と、可開放前側壁部と、後壁とが立設され、組み立て前は前記左右両側壁が斜状折目から二つ折りされて底壁に重合され、扁平に折り畳まれてなる組立式紙箱において、
前記左右両側壁に外方折り返し用折目が設けられてなることを特徴とする組立式紙箱。
【請求項２】
前記外方折り返し用折目が、前記折り畳み用斜状折目と交差している請求項１に記載の組立式紙箱。
【請求項３】
前記左右両側壁の前縁に折目を介して一対のサイドフラップが連設されると共に、両サイドフラップの先端部に互いのかみ合いを許容する縦切目が設けられている請求項１記載の組立式紙箱。
【考案の詳細な説明】
【技術分野】
【０００１】
この考案は、例えばショートケーキのような形崩れし易い生菓子類等を収容するのに好適な組立式紙箱に関する。
【背景技術】
【０００２】
従来、ショートケーキのような形崩れし易い生菓子類の持ち帰り用紙箱として、ショートケーキを紙箱上面開口から出し入れするのではなく、側方から出し入れするようになされたものが提案されている。
【０００３】
本出願人も、そのような組立式紙箱を提案しているが（特許文献１及び特許文献２）、これらはいずれも、蓋を開け、可開放側壁部を底壁と面一になるように展開して開放面を大きくすることにより、ショートケーキを取りだす際や、ショートケーキを収納する際に便利なものであったが、使用に際しては、底壁を組み立てたり、特定の部位を貼着しなければならなかった。
【０００４】
そこで、本出願人は、図６及び図７に示すように左右両側壁（54）（55）に折畳み用斜状折目（71）（72）を備え、使用に際して底壁を組み立てたり、特定の部位を貼着したりする必要のない形式の組立式紙箱（Ｃ）についても、同様にショートケーキを紙箱の側方から出し入れできるものをと考え試作してみた。
【特許文献１】特開２００４−２３８０６７号公報
【特許文献２】特開２００４−２９９７７１号公報
【考案の開示】
【考案が解決しようとする課題】
【０００５】
しかしながら、上記左右両側壁（54）（55）に折畳み用斜状折目（71）（72）を備えた組立式紙箱（Ｃ）は、図５に示すようにサイドフラップ（61）（62）を左右両側壁（54）（55）に対して直角に内向きに折り曲げた状態においては、左右両側壁（54）（55）の起立姿勢に問題はないが、ショートケーキを側方から出し入れする際に、サイド内フラップ（61）（62）を外側に向けて折り返していくと、左右両側壁（54）（55）が元の折り畳み状態に復帰しようとして内側に倒れ込み、ショートケーキの出し入れが行い難くなることがあると共に、既にショートケーキが収容されている状態にあっては、その収容されているショートケーキの上部デコレーションを破損してしまうおそれがあった。
【０００６】
この考案は、上述の事情に鑑みてなされたもので、左右両側壁に折畳み用斜状折目を備えた組立式紙箱において、収容物の出し入れの際に、左右両側壁が倒れ込むおそれがなく、収容物の収容が容易であってかつ収容物の出し入れ時に収容物の破損を防止できる組立式紙箱を提供することを目的としている。
【課題を解決するための手段】
【０００７】
上記目的を達成するために、請求項１の考案に係る組立式紙箱は、一枚の紙板からなり、底壁周縁に、折畳み用斜状折目を備えた左右両側壁と、可開放前側壁部と、後壁とが立設され、組み立て前は前記左右両側壁が斜状折目から二つ折りされて底壁に重合され、扁平に折り畳まれてなる組み立て式紙箱において、前記左右両側壁に外方折り返し用折目が設けられてなる構成を採用する。
【０００８】
請求項２の考案に係る組立式紙箱は、請求項１の構成に加えて、前記外方折り返し用折目が、前記折り畳み用斜状折目と交差している構成を採用する。
【０００９】
請求項３の考案に係る組立式紙箱は、請求項１又は請求項２の構成に加えて、前記左右両側壁の前縁に折目を介して一対のサイドフラップが連設されると共に、両サイドフラップの先端部に互いのかみ合いを許容する縦切目が設けられている構成を採用する。
【００１０】
なお、上記の「前後左右」は相対的な位置関係を示すにすぎないものである。
【考案の効果】
【００１１】
請求項１に係る考案は、前記左右両側壁に外方折り返し用折目が設けられているので、収容物の出し入れを行う際に、左右両側壁を外方折り返し用折目から外方に折り返しておくと、左右両側壁が底壁側に倒れ難くなり、収容物の収容が容易となりかつ収容物の破損を防止できる。
【００１２】
請求項２に係る考案は、前記外方折り返し用折目が、前記折り畳み用斜状折目と交差しているので、折り畳み用斜状折目による側壁の倒れ込みを抑制し、より一層確実に、収容物の収容が容易かつ収容物の破損を防止できる。
【００１３】
請求項３に係る考案は、請求項１又は請求項２に係る考案が奏する効果に加えて、前記左右両側壁の前縁に折目を介して一対のサイドフラップが連設されると共に、両サイドフラップの先端部に互いのかみ合いを許容する縦切目が設けられているので、両サイドフラップをしっかり噛み合わせ状態にしておくと、左右両側壁の起立姿勢が保持される。また、蓋を開けて可開放前壁部を底壁と面一になるようにして収容物を取り出す際に、組立式紙箱を誤ってサイドフラップ側を下向きにした傾斜状態としてしまっても収容物の箱外への落下を防止できる。
【考案を実施するための最良の形態】
【００１４】
以下、この発明に係る組立式紙箱の第１実施形態について、図面を参照して具体的に説明するが、図１は同組立式紙箱（Ａ）の組立途上の斜視図、図２は収容物を収容する直前の斜視図、図３はその展開状態の平面図を示すものである。
【００１５】
まず、図３を中心にして説明すると、長方形の底壁（１）の四周に折目（31）（32）（33）（34）を介して可開放前側壁（２）、後側壁（３）、左側壁（４）及び右側壁（５）が連設されている。
【００１６】
可開放前側壁（２）の上端には折目（35）を介して蓋止めフラップ（15）が連設され、この蓋止めフラップ（15）の前記折目（35）に近接した位置に、折目（35）と平行なスリット形成用切目（10）が設けられている。このスリット形成用切目（10）は、後述する蓋壁（６）に設けられた差し込み舌片（９）との対応位置に設けられ、該スリット形成用切目（10）の両端は、折目（35）を跨ぎかつ紙厚の厚さ程度の長さに短く屈曲されている。（10ａ）はその両端屈曲部である。
【００１７】
前記可開放前側壁（２）に対向する後側壁（３）の左右には、折目（37）（38）を介して胴貼り用接合片（７）（８）が連設され、左右両側壁（４）（５）の内面に接合されるものとなされている。この後側壁（３）上縁には折目（36）を介して蓋壁（６）が連設され、さらに該蓋壁（６）の前縁に折目（39）を介して前記差し込み舌片（９）が突設されている。
【００１８】
左右両側壁（４）（５）は、左右対称に形成されているもので、上縁に折目（42）（43）を介して蓋止めフラップ（13）（14）が連設される一方、前縁に折目（40）（41）を介してサイドフラップ（11）（12）が連設されている。
【００１９】
このサイドフラップ（11）（12）は、他方の側壁のサイドフラップ（12）（11）と組み合わされ、この組立式紙箱（Ａ）の組立状態において可開放前側壁（２）の内面に臨むものとなされている。このサイドフラップ（11）（12）の先端部には、上方又は下方に向う縦切目（17）（19）が刻設されて、切目（17）（19）より先端部分（16）（18）が他方のサイドフラップ（11）（12）の前面に位置するように噛み合わせ状態に組み立てられる。
【００２０】
さらに、このサイドフラップ（11）（12）は、図１に示すように前記噛み合わせ状態において中央上部に位置する部位は大きく抉られるように切り欠かれており、その噛み合わせ状態においても収容物の出し入れが行いやすくなされている。
【００２１】
また、左右両側壁（４）（５）のいずれにも、後側壁がわの下端隅部から前側壁がわの上端隅部を結ぶ折り畳み用斜状折目（21）（22）が設けられる一方、前側壁がわの下端隅部から後側壁側の上端隅部を結ぶ外方折り返し用折目（23）（24）が設けられている。
【００２２】
上記構成を有する組立式紙箱（Ａ）は、上記展開状態からまず左右両側壁（４）（５）を折り畳み用斜状折目（21）（22）から二つ折り状態に折り畳んだ後、後側壁（３）をその上に重ね合わせると同時に、胴貼り用接合片（７）（８）を対応する左右両側壁（４）（５）の内面に接合され、全体が扁平な折り畳み状態とされるものである。通常は、この扁平折り畳み状態のまま輸送、保管され、使用に際して所期する形態に組み立てられることになる。
【００２３】
その組立に際しては、上記扁平折り畳み状態から後側壁（３）を起立させると左右両側壁（４）（５）が自動的に起立するが、折り畳み用斜状折目（21）（22）による折り癖がついているために、左右両側壁（４）（５）は、手を離すと底壁（１）に倒れ込もうとすることになる。そこで、左右両側壁（４）（５）を外方折り返し用折目（23）（24）から外側に向けて折り返すと、図２に示すように前方及び上方に大きく開放した状態が得られると共にその開放状態が保持される。
【００２４】
この開放状態で、収容物を底壁の真上からではなく前方斜め上からあるいは可開放前側壁内面上及び底壁（１）上を横滑りさせるようにすることにより容易に底壁（１）上に載置させることができる。そして、収容物を底壁（１）に載置した後、外方に折り返していた左右両側壁（４）（５）をサイドフラップ（11）（12）を先行させつつ内側に戻しながら、両サイドフラップ（11）（12）を図１に示すように、噛み合わせることにより左右両側壁（４）（５）の所期する起立姿勢が保持される。
【００２５】
その後、左右両側壁（４）（５）の蓋止めフラップ（13）（14）を、底壁（１）と平行になるように内側に折り曲げておいて、底壁（１）と面一になっている可開放前側壁（２）を起立させ、その上縁の蓋止めフラップ（15）を底壁（１）と平行になるように内側に折り曲げかつ該蓋止めフラップ（15）の両端で左右両側壁の蓋止めフラップ（13）（14）の端部を抑えるものとする。蓋止めフラップ（15）を底壁（１）と平行になるように内側に折り曲げると、スリット形成用切目（10）が設けられていることにより、スリット（図示省略）が出現することになる。
【００２６】
そこで、スリットが出現した状態を保持しながら、起立状態にある蓋壁（６）を紙箱開口面を覆うように折り曲げ、その先端の差し込み片（９）をスリット（10）に差し込むことにより、閉蓋状態が保持される。
【００２７】
そして、この閉蓋状態から収容物を取り出すには、先ほどとは逆の手順で操作を行うことにより、図２に示すように前方及び上方に大きく開放した状態が得られ、収容物の取り出しが行いやすくなる。
【００２８】
なお、上記実施形態においては、外方折り返し用折目（23）（24）が、折り畳み用斜状折目（21）（22）の中央で交差するように設けられているが、図４に示す第２実施形態の組立式紙箱（Ｂ）のように、外方折り返し用折目（23）（24）が、折り畳み用斜状折目（21）（22）の端部で交差するような位置に設けられていても良い。図４に示す第２実施形態の組立式紙箱（Ｂ）は、第１実施形態の組立式紙箱（Ａ）の奥行きを少し大きくしただけの紙箱であるので、同一部位については同一の符号を用いて示されている。
【００２９】
また、図５に示す第３実施形態の紙箱（Ｃ）は、外方折り返し用折目（23）（24）の下端がサイドフラップ（81）（82）まで延設されている。外方折り返し用折目（23）（24）はこのようなものであってもかまわない。
【００３０】
サイドフラップ（81）（82）は、前記第１実施形態及び第２実施形態とは異なり、サイドフラップどうしが噛み合わされることのないものであうるが、このようなものであっても良い。このサイドフラップ（81）（82）を、左右両側壁から内側に直角に折り曲げておくと、左右両側壁（４）（５）が内側に倒れようとする時に、サイドフラップ（81）（82）の下辺が底壁（１）または前壁（２）に当接し、左右両側壁（４）（５）の倒れ込みが防止されることになる。
【００３１】
この第３実施形態の組立式紙箱（Ｃ）は、前記外方折り返し用折目（23）（24）の位置と、サイドフラップ（81）（82）の形態が第１実施形態及び第２実施形態と異なっているが、その他の部位は実質的に同一であるので、同一部位については同一の符号を用いて示されている。
【図面の簡単な説明】
【００３２】
【図１】この考案の第一実施形態に係る組立式紙箱の斜視図である。
【図２】同組立式紙箱の左右両側壁を外側に折り返した状態の斜視図である。
【図３】同組立式紙箱の展開状態の平面図である。
【図４】この考案の第２実施形態に係る組立式紙箱の斜視図である。
【図５】この考案の第３実施形態に係る組立式紙箱の斜視図である。
【図６】従来の組立式紙箱の斜視図である。
【図７】従来の組立式紙箱の左右両側壁を外側に折り返した状態の斜視図である。
【符号の説明】
【００３３】
Ａ、Ｂ、Ｃ・・・組立式紙箱
１・・・・・・・底壁
２・・・・・・・可開放前側壁
４・・・・・・・左側壁
５・・・・・・・右側壁
１１、１２・・・サイドフラップ
１７、１９・・・縦切目
２１、２２・・・折り畳み用斜状折目
２３、２４・・・外方折り返し用折目
【図１】
0003118748.tif 000003
【図２】
0003118748.tif 000004
【図３】
0003118748.tif 000005
【図４】
0003118748.tif 000006
【図５】
0003118748.tif 000007
【図６】
0003118748.tif 000008
【図７】
0003118748.tif 000009